(57)【要約】【課題】基板回路図面における電源名の変更や確認を容易にできるようにすると共に、ＩＣ個別の電源分割指定を容易にする電源サポートＣＡＤ装置を得る。【解決手段】基板回路図面のシンボルと図面情報ファイルが格納された基板回路図面記憶部２と、前記基板回路図面記憶部の図面情報ファイルから電源内容を一覧表化した電源ページを作成する電源ページ作成ツール３と、作成された電源ページを格納する電源ページ記憶部５と、前記電源ページ記憶部に格納された電源ページ上で回路図に設定されている電源名変更やデフォルト電源名の電源名割付作業を行うための作業部４と、前記作業部により変更された部品のみプロパティを基板回路図面へ書き戻す分割電源割付ツール６とを備えた。【選択図】図１
2005326969.tif 000002
【特許請求の範囲】
【請求項１】
基板回路図面のシンボルと図面情報ファイルが格納された基板回路図面記憶部と、
前記基板回路図面記憶部の図面情報ファイルから電源内容を一覧表化した電源ページを作成する電源ページ作成ツールと、
作成された電源ページを格納する電源ページ記憶部と、
前記電源ページ記憶部に格納された電源ページ上で回路図に設定されている電源名変更やデフォルト電源名の電源名割付作業を行うための作業部と、
前記作業部により変更された部品のみプロパティを基板回路図面へ書き戻す分割電源割付ツールと
を備えた電源サポートＣＡＤ装置。
【請求項２】
請求項１に記載の電源サポートＣＡＤ装置において、
前記電源ページ作成ツールは、前記電源ページの電源内容にＮＣピン（no connection pin）を持つ部品のピン番号を配置した一覧表を作成する
ことを特徴とする電源サポートＣＡＤ装置。
【請求項３】
請求項１または２に記載の電源サポートＣＡＤ装置において、
前記分割電源割付ツールは、部品別に分割電源を接続する場合に、電源ページでＰＯＷＥＲ＿ＧＲＯＵＰプロパティに指定した分割電源名を、ＰＯＷＥＲ＿ＧＲＯＵＰプロパティとして基板回路図面のシンボル属性値に追加付加する
ことを特徴とする電源サポートＣＡＤ装置。
【請求項４】
請求項１ないし３のいずれか１項に記載の電源サポートＣＡＤ装置において、
旧データ構造の旧電源ページを格納した旧電源ページ記憶部をさらに備え、
前記電源ページ作成ツールは、前記旧電源ページからデフォルト電源名を取得することにより、基板回路図面のデータ構造が更新された場合に、旧データ構造の図面からデフォルト電源名を取得して、電源内容を一覧表化した電源ページを作成する
ことを特徴とする電源サポートＣＡＤ装置。
【発明の詳細な説明】
【技術分野】
【０００１】
この発明は、基板回路図面に電源ページを作成するための電源サポートＣＡＤ装置に関するものである。
【背景技術】
【０００２】
従来の回路図ＣＡＤ装置として、回路中の電源容量の合計値を演算して、電源容量を追加し得るか否かを判定するものがあった（例えば特許文献１参照）。
【０００３】
【特許文献１】特開２００１-１６００８１号公報（要約書）。
【発明の開示】
【発明が解決しようとする課題】
【０００４】
しかしながら、上述した従来の回路図ＣＡＤ装置においては電源容量を追加し得るか否かを判定できても、電源名の変更は各ＩＣのインスタンス毎に行わなければならず、電源名の変更や確認が困難であった。また、デフォルト以外の電源を使いたい場合にＩＣ個別の電源分割指定が困難であるなどの問題点があった。
【０００５】
この発明は上記のような課題を解決するためになされたもので、基板回路図面において電源名の変更や確認を容易にできるようにすると共に、ＩＣ個別の電源分割指定を容易にできる電源サポートＣＡＤ装置を得ることを目的とする。
【課題を解決するための手段】
【０００６】
この発明に係る電源サポートＣＡＤ装置は、基板回路図面のシンボルと図面情報ファイルが格納された基板回路図面記憶部と、前記基板回路図面記憶部の図面情報ファイルから電源内容を一覧表化した電源ページを作成する電源ページ作成ツールと、作成された電源ページを格納する電源ページ記憶部と、前記電源ページ記憶部に格納された電源ページ上で回路図に設定されている電源名変更やデフォルト電源名の電源名割付作業を行うための作業部と、前記作業部により変更された部品のみプロパティを基板回路図面へ書き戻す分割電源割付ツールとを備えたものである。
【発明の効果】
【０００７】
この発明によれば、電源名の変更や確認を容易にできる。また、部品個別の電源分割指定を容易化できる。
【発明を実施するための最良の形態】
【０００８】
実施の形態１．
図１は、この発明の実施の形態１に係る電源サポートＣＡＤ装置の構成を示すブロック図である。図１に示す電源サポートＣＡＤ装置は、シンボルと実装情報ファイルを格納し、実装情報ファイルに電源ピンとＮＣピン（no connection pin：ＩＣ上のピンで、どこにも接続されてないことを示すピン）が定義されている、シンボルライブラリ記憶部１と、シンボルと図面情報ファイルを格納し、図面入力されたシンボルに対して、電源ピン、ＮＣピン、諸元名、ＰＯＷＥＲ＿ＧＲＯＵＰ（電源グループ）をプロパティとして持つ、基板回路図面記憶部２と、基板回路図面記憶部２の図面情報ファイルから電源ピン、ＮＣピン、諸元名、ＰＯＷＥＲ＿ＧＲＯＵＰを入力し、電源ページを作成して電源ページ記憶部５に格納するための電源ページ作成ツール３と、電源ページ記憶部５に格納された電源ページ上で回路図に設定されている電源名変更やデフォルト電源名の設定等電源名割付作業を行うための作業部４と、作業部４により変更された部品のみプロパティであるＰＯＷＥＲ＿ＧＲＯＵＰを基板回路図面へ書き戻すための分割電源割付ツール６とを備えている。
【０００９】
次に動作について説明する。まず、図２に示す電源ページ作成ツール３の動作フローチャートを参照して説明する。ステップ７で、電源ページ作成ツール３を起動する。ステップ８では、基板回路図面記憶部２に記憶された図面情報ファイルを読み込み、基板回路図面全てから、電源ピン、ＮＣピン、ＰＯＷＥＲ＿ＧＲＯＵＰ、諸元名の属性値を保持する。ステップ９では、基板回路図面全てから、電源ページが既に存在するかチェックする。
電源ページが存在した場合は、ステップ１０で、デフォルト電源名を取得し、その電源ページの構成要素を全て削除することにより、電源ページを更新する。電源ページが存在しない場合は、ステップ１１で、基板回路図面最終ページの次に電源ページを作成する。
ステップ１２では、諸元毎にデフォルト電源を電源ページの一覧表に配置し、諸元毎にＮＣピンを電源ページの一覧表に配置する。そして、ステップ１３で処理終了する。
【００１０】
図３は、上記のようにして電源ページ作成ツール３により作成された電源ページの例を示す図である。この図３の一覧表を用いて、電源ページ作成ツール３のステップ１２について詳細に説明する。デフォルト電源名の表示１４のように、ＳＴＤ＿ＰＯＷＥＲプロパティを電源ページに表示する。一覧表には左から順に下記のような列を表示する。
・電源ピンはＰＮＯＴＥ、ＮＣピンはＮＣＰＩＮとして表示する列１５
・諸元名を表示するＬＯＣＡＴＩＯＮの列１６
・回路図に設定されている電源名を表示する〈ＰＯＷＥＲ〉のＬＩＢＲＡＲＹの列１７
・ＰＯＷＥＲＧＲＯＵＰを変更することにより、電源名の割り付け作業をするＧＲＯＵＰの列１８
（電源ページ作成ツール３は、この列にデフォルト値である♯を表示する）
・ピン番号を表示するＰＩＮ＿ＮＵＭＢＥＲの列１９
（一覧に表示できない多ピンは、注釈名２５をつけ、一覧表の下に注釈名に対応して多ピンを注釈表示する行２６を表示する）
列２０、２１、２２は、列１７、１８、１９と同様の処理を行う。
そして、まず、諸元毎にＰＮＯＴＥを表示する行２３で、ＰＮＯＴＥについて全て表示する。そして、諸元毎にＮＣＰＩＮを表示する行２４で、ＮＣＰＩＮについて全て表示する。
【００１１】
次に、図４は、作業部４で電源名割付を行った例を示す図である。この図４を用いて電源名割付について説明すると、この図４において、作業部４により電源名割付を行った例２７では、デフォルト値♯をＰ３＿３Ｖに変更している。
【００１２】
以下、図５に示す分割電源割付ツール６の動作を示す分割電源割付のフローチャートを参照して説明する。まず、ステップ２８では、分割電源割付ツール６を起動する。ステップ２９では、作成された電源ぺ一ジから、基板回路図面中の諸元名が一致するシンボル全てに対して、基板回路図面記憶部２の図面情報ファイルヘ電源名を書き戻す。ステップ３０では、電源ページのＧＲＯＵＰ列が♯以外の場合は、その諸元のシンボルのＰＯＷＥＲＧＲＯＵＰプロパティに変更値を書き込む。そして、ステップ３１で処理を終了する。
【００１３】
このようにして、実施の形態１によれば、分割電源割付ツール６により、部品別に分割電源を接続する場合に、電源ページでＰＯＷＥＲ＿ＧＲＯＵＰプロパティに指定した分割電源名を、ＰＯＷＥＲ＿ＧＲＯＵＰプロパティとして基板回路図面のシンボル属性値に追加付加することで、電源内容（デフォルト電源名、ピン番号）を一覧表化した電源ページを作成するようにしたので、電源名の変更や確認を容易にできるようになり、ＩＣ等部品個別に電源分割指定ができるようになる。
【００１４】
また、電源ページ作成ツール３により、電源ページの電源内容にＮＣピンを持つ部品のピン番号を配置した一覧表を作成することで、諸元毎にＮＣピンを電源ページの一覧表に配置することができる。
【００１５】
実施の形態２．
図６は、この発明の実施の形態２に係る電源サポートＣＡＤ装置の構成を示すブロック図である。図６に示す実施の形態２に係る電源サポートＣＡＤ装置は、図１に示す実施の形態１に係る構成の他に、旧データ構造の旧電源ページを格納する旧電源ページ記憶部３２をさらに備え、電源ページ作成ツール３により、旧電源ページ記憶部３２に格納された旧データ構造の図面からデフォルト電源名を取得することにより、基板回路図面のデータ構造が更新されても、実施の形態１と同様に、電源内容（デフォルト電源名、ピン番号）を一覧表化した電源ページを作成するようにしている。
【００１６】
従って、実施の形態２によれば、基板回路図面のデータ構造が更新されても、実施の形態１と同様に、電源内容（デフォルト電源名、ピン番号）を一覧表化した電源ページを作成できるので、電源名の変更や確認を容易にできるようになる。また、ＩＣ個別に電源分割指定ができるようになる。
【００１７】
実施の形態３．
図７は、この発明の実施の形態３に係る電源サポートＣＡＤ装置の構成を示すブロック図である。図７に示す実施の形態３に係る電源サポートＣＡＤ装置は、図６に示す実施の形態２に係る構成の分割電源名割付を行う作業部４に代えて、ＣＳＶデータ入出力ツールを使った分割電源名割付を行う作業部４’を備えている。
【００１８】
この実施の形態３では、作業部４’に、電源ページのデータをＣＳＶ形式で入出力制御するツールを追加することにより、ＣＳＶファイルの手動編集で電源名割付作業を行うことができる。
【００１９】
従って、実施の形態３によれば、実施の形態１と同様に、電源内容（デフォルト電源名、ピン番号）を一覧表化した電源ページを作成できるので、電源名の変更や確認を容易にできるようになる。また、ＩＣ個別に電源分割指定ができるようになる。さらに、電源名割付作業を効率的に行うことができるようになる。
【００２０】
実施の形態４．
図８は、この発明の実施の形態４に係る電源サポートＣＡＤ装置の構成を示すブロック図である。図８に示す実施の形態４に係る電源サポートＣＡＤ装置は、図７に示す実施の形態３に係る構成の他に、電源ページの構成要素のライブラリを格納した電源ページ構成要素ライブラリ記憶部３３をさらに備え、電源ページ作成ツール３により、電源ページ構成要素ライブラリ記憶部３３に格納されたライブラリとして準備した電源ページの構成要素を、電源ページヘ配置することができるようにしている。
【００２１】
この実施の形態４によれば、実施の形態１と同様に、電源内容（デフォルト電源名、ピン番号）を一覧表化した電源ページを作成できるので、電源名の変更や確認を容易にできるようになる。また、ＩＣ個別に電源分割指定ができるようになる。
【００２２】
さらに、電源ページの構成要素をライブラリとして持つことにより、電源ページ作成ツール３や分割電源割付ツール６の機能を改訂することなく、異なる設計部門で使えるようになる。
【図面の簡単な説明】
【００２３】
【図１】この発明の実施の形態１に係る電源サポートＣＡＤ装置の構成を示すブロック図である。
【図２】この発明の実施の形態１に係る電源ページ作成ツールの動作フローチャートである。
【図３】この発明の実施の形態１に係る電源ページ作成ツールにより作成された電源ページの例を示す図である。
【図４】この発明の実施の形態１に係る作業部で電源名割付を行った例を示す図である。
【図５】この発明の実施の形態１に係る分割電源割付ツールの動作を示す分割電源割付のフローチャートである。
【図６】この発明の実施の形態２に係る電源サポートＣＡＤ装置の構成を示すブロック図である。
【図７】この発明の実施の形態３に係る電源サポートＣＡＤ装置の構成を示すブロック図である。
【図８】この発明の実施の形態４に係る電源サポートＣＡＤ装置の構成を示すブロック図である。
【符号の説明】
【００２４】
１  シンボルライブラリ記憶部、２  基板回路図面記憶部、３  電源ページ作成ツール、４、４’  電源名割付を行う作業部、５  電源ページ記憶部、６  分割電源割付ツール、３２  旧電源ページ記憶部、３３  電源ページ構成要素ライブラリ記憶部。
【図１】
2005326969.tif 000003
【図２】
2005326969.tif 000004
【図３】
2005326969.tif 000005
【図４】
2005326969.tif 000006
【図５】
2005326969.tif 000007
【図６】
2005326969.tif 000008
【図７】
2005326969.tif 000009
【図８】
2005326969.tif 000010